(57)【要約】【課題】この発明は、直列に配置された受光器とそれに並列に接続した固定抵抗器と低域通過回路による受光回路に関するものである。【解決手段】（９）＋極から（１）固定抵抗器と（２）受光素子を直列に接続したものを１組とし、（３）固定抵抗器と（４）受光素子を直列に接続したものを１組とし、それらを直列に接続し（１０）アースにおとし、その中点から（７）固定抵抗器と（８）コンデンサーからなる低域通過回路を付加し、その出力を、＋極から（５）固定抵抗器と（６）固定抵抗器を直列に接続した中点に接続して出力とした。【選択図】  図７
2004193530.tif 000002
【特許請求の範囲】
【請求項１】
（９）＋極から（１）固定抵抗器と（２）受光素子を直列に接続したものと（５）固定抵抗器を並列に接続したものを１組とし、（３）固定抵抗器と（４）受光素子を直列に接続したものと（６）固定抵抗器を並列に接続したものを１組とし、それらを直列に接続し（１０）アースにおとして、その中点から出力とした並列抵抗器付き直列受光器。
【請求項２】
（９）＋極から（１）固定抵抗器と（２）受光素子を直列に接続したものと（５）固定抵抗器を並列に接続したものを１組とし、（３）固定抵抗器と（４）受光素子を直列に接続したものを１組とし、それらを直列に接続し、（１０）アースにおとし、その中点から出力とした並列抵抗器付き直列受光器。
【請求項３】
（９）＋極から（１）固定抵抗器と（２）受光素子を直列に接続したものと（５）固定抵抗器を並列に接続したものを１組とし、（３）固定抵抗器と（４）受光素子を直列に接続したものと（６）固定抵抗器を並列に接続したものを１組とし、それらを直列に接続し（１０）アースにおとし、その中点から出力とした並列抵抗器付き直列受光器。
【請求項４】
（９）＋極から（１）固定抵抗器と（２）受光素子を直列に接続したものと（５）固定抵抗器を並列に接続したものを１組とし、（３）固定抵抗器と（４）受光素子を直列に接続したものと（６）固定抵抗器を並列に接続したものを１組とし、それらを直列に接続し（１０）アースにおとし、その中点から（７）固定抵抗器と（８）コンデンサーからなる低域通過回路を付加して出力とした並列抵抗器付き直列受光器。
【請求項５】
（９）＋極から（１）固定抵抗器と（２）受光素子を直列に接続したものと（５）固定抵抗器を並列に接続したものを１組とし、（３）固定抵抗器と（４）受光素子を直列に接続したものを１組とし、それらを直列に接続し（１０）アースにおとし、その中点から（７）固定抵抗器と（８）コンデンサーからなる低域通過回路を付加して出力とした並列抵抗器付き直列受光器。
【請求項６】
（９）＋極から（１）固定抵抗器と（２）受光素子を直列に接続したものを１組とし、（３）固定抵抗器と（４）受光素子を直列に接続したものと（６）固定抵抗器を並列に接続したものを１組とし、それらを直列に接続し（１０）アースにおとし、その中点から（７）固定抵抗器と（８）コンデンサーからなる低域通過回路を付加して出力とした並列抵抗器付き直列受光器。
【請求項７】
（９）＋極から（１）固定抵抗器と（２）受光素子を直列に接続したものを１組とし、（３）固定抵抗器と（４）受光素子を直列に接続したものを１組とし、それらを直列に接続し（１０）アースにおとし、その中点から（７）固定抵抗器と（８）コンデンサーからなる低域通過回路を付加し、その出力を、＋極から（５）固定抵抗器と（６）固定抵抗器を直列に接続した中点に接続して出力とした並列抵抗器付き直列受光器。
【請求項８】
（９）＋極から（１）固定抵抗器と（２）受光素子を直列に接続したものを１組とし、（３）固定抵抗器と（４）受光素子を直列に接続したものを１組とし、それらを直列に接続し（１０）アースにおとし、その中点から（７）固定抵抗器と（８）コンデンサーからなる低域通過回路を付加し、その出力を（６）固定抵抗器の一方に接続して出力とし、（５）固定抵抗器の一方を＋極に接続した並列抵抗器付き直列受光器。
【請求項９】
（９）＋極から（１）固定抵抗器と（２）受光素子を直列に接続したものを１組とし、（３）固定抵抗器と（４）受光素子を直列に接続したものを１組とし、それらを直列に接続し（１０）アースにおとし、その中点から（７）固定抵抗器と（８）コンデンサーからなる低域通過回路を付加し、その出力を（６）固定抵抗器の一方に接続して出力とし、（６）固定抵抗器の一方をアースに接続した並列抵抗器付き直列受光器。
【発明の詳細な説明】
【発明の属する技術分野】
この発明は、１つの光源より発せられる光を、２つの受光素子を直列に接続して別方向に向け、光の強さの比を電圧で検出できるようにしたものであり、暗い時に出力設定点を安定化する抵抗器を付けたものである。
【従来の技術】
従来の方法１
出力設定点を電源電圧の半分のところに設定してあり、入力光信号が正弦波であるものとして説明をする。
例えば（１）固定抵抗器と（２）受光素子を直列に接続して、その中点から出力を取り出す方法だと、受光素子に当たる直流光信号が２倍になったとすると
（１）固定抵抗器には２倍の光電流が流れ、（１）固定抵抗器には２倍の電圧が発生する。そうすると出力はアースまで振れてしまい、入力光信号の半波が欠けてしまう。同様に、受光素子に当たる直流光信号が１／２倍になると、出力が電源電圧の３／４まで上がってしまい、入力光信号の半波が欠けてしまう。また、この方式だと入力光信号の最大振幅の得られる設定点がただ１点のみとなり、出力信号が１／２まで使用可能とすると、その使用可能範囲は極めて狭い範囲しか使用できない。
従来の方法２
出力設定点が電源電圧の半分のところにあり、入力光信号が正弦波であるものとして説明をする。ただし、両方の受光素子には同じように直流光信号（非入力光信号）が当り、入力光信号が片方のみに当るものとして説明をする。
例えば（９）＋極から（１）固定抵抗器と（２）受光素子を直列に接続したものを１組とし、（３）固定抵抗器と（４）受光素子を直列に接続したものを１組とし、それらを直列に接続し（１０）アースにおとし、その中点から出力を取り出す方法だと直流光信号が２倍あるいは１／２倍になっても、両方の受光素子に同じように光が当たるので片方の受光素子が最適な負荷抵抗となり、この最適負荷効果により電源電圧の半分のところで出力設定点が動かないので従来の方法１より使用可能範囲が広がる。しかし、真暗になると受光素子は高抵抗になり、出力が電源の（９）＋極と（１０）アースより浮いた状態となり、後に続くアンプが電磁誘導や静電気や熱不平衡などによるノイズに弱くなり、（９）＋極あるいは（１０）アースのどちらに出力が設定されるのか不安定になる。また、（２）受光素子と（４）受光素子に当たる非入力光信号が少しでも同じでないと蛍光灯などの光では、商用電源周波数（５０〜６０Ｈｚ）のノイズが出力に出てしまう。なお、（１）固定抵抗器と（３）固定抵抗器は過大な電流が流れるのを防ぐために入れてある。
【発明が解決しようとする課題】
本発明では、これらの欠点を簡単かつ安価に克服し、解決したものである。
【発明の実施の形態】
（５）固定抵抗器と（６）固定抵抗器は、明るい時の受光素子の等価抵抗値より十分高い値のもの＝無視できるものを使用しているとして説明する。
請求項１では、直流光信号が２倍あるいは１／２になっても従来の方法２で述べた最適負荷効果により出力設定点は電源電圧の半分のところで動かないので、従来の方法１より使用可能範囲が広がる。また、真暗になっても（５）固定抵抗器と（６）固定抵抗器により、電源電圧の半分のところで出力設定点は動かない。つまり、（５）固定抵抗器と（６）固定抵抗器により出力設定点が安定化される。この出力安定化効果により、従来の方法２よりさらに使用可能範囲が広がる。
請求項２では、直流光信号が２倍あるいは１／２になっても従来の方法２で述べた最適負荷効果により出力は電源電圧の半分のところで動かないので従来の方法１より使用可能範囲が広がる。また、真暗になっても（５）固定抵抗器により、（９）＋極に誘導される。ここで、出力にＦＥＴなどをつなぐと、この誘導効果により消費電力の少ない方へ出力設定点をもっていくことができる。これで省エネ効果が期待できる。また、（５）固定抵抗器により出力設定点が安定化される。この出力安定化効果により、従来の方法２よりさらに使用可能範囲が広がる。
請求項３では、直流光信号が２倍あるいは１／２になっても従来の方法２で述べた最適負荷効果により出力は電源電圧の半分のところで動かないので従来の方法１より使用可能範囲が広がる。また、真暗になっても（６）固定抵抗器により（１０）アースに誘導される。ここで、出力にＦＥＴなどをつなぐと、この誘導効果により消費電力の少ない方へ出力設定点をもっていくことができる。
これで省エネ効果が期待できる。また、（６）固定抵抗器により出力設定点が安定化される。この出力安定化効果により、従来の方法２よりさらに使用可能範囲が広がる。
請求項４では、直流光信号が２倍あるいは１／２になっても従来の方法２で述べた最適負荷効果により出力は電源電圧の半分のところで動かないので、従来の方法１より使用可能範囲が広がる。また、真暗になっても（５）固定抵抗器と（６）固定抵抗器により、電源電圧の半分のところで出力設定点は動かない。つまり、（５）固定抵抗器と（６）固定抵抗器により出力設定点が安定化される。この出力安定化効果により、従来の方法２よりさらに使用可能範囲が広がる。
また、その中点から（７）固定抵抗器と（８）コンデンサーからなる低域通過回路を付加してあるため、（２）受光素子と（４）受光素子に当たる非入力光信号が同じでなくても、光強度の差によるノイズが低減される。
請求項５では、直流光信号が２倍あるいは１／２になっても従来の方法２で述べた最適負荷効果により出力は電源電圧の半分のところで動かないので従来の方法１より使用可能範囲が広がる。また、真暗になっても（５）固定抵抗器により、（９）＋極に誘導される。ここで、出力にＦＥＴなどをつなぐと、この誘導効果により消費電力の少ない方へもっていくことができる。これで省エネ効果が期待できる。また、（５）固定抵抗器により出力設定点が安定化される。この出力安定化効果により、従来の方法２よりさらに使用可能範囲が広がる。また、後段に（７）固定抵抗器と（８）コンデンサーからなる低域通過回路を付加してあるため、（２）受光素子と（４）受光素子に当たる非入力光信号が同じでなくても、光強度の差によるノイズが低減される。
請求項６では、直流光信号が２倍あるいは１／２になっても従来の方法２で述べた最適負荷効果により出力は電源電圧の半分のところで動かないので従来の方法１より使用可能範囲が広がる。また、真暗になっても（６）固定抵抗器により（１０）アースに誘導される。ここで、出力にＦＥＴなどをつなぐと、この誘導効果により消費電力の少ない方へもっていくことができる。これで省エネ効果が期待できる。また、（６）固定抵抗器により出力設定点が安定化される。この出力安定化効果により、従来の方法２よりさらに使用可能範囲が広がる。
また、後段に（７）固定抵抗器と（８）コンデンサーからなる低域通過回路を付加してあるため、（２）受光素子と（４）受光素子に当たる非入力光信号が同じでなくても、光強度の差によるノイズが低減される。
請求項７では、請求項４と同じ効果が期待できるとともに、（７）固定抵抗器を介せず出力近くに（５）固定抵抗器と（６）固定抵抗器があるため、請求項４より強く誘導効果が期待でき、かつノイズに強くなる。
請求項８では、請求項５と同じ効果が期待できるとともに、（７）固定抵抗器を介せず出力近くに（５）固定抵抗器があるため、請求項５より強く誘導効果が期待でき、かつノイズに強くなる。
請求項９では、請求項６と同じ効果が期待できるとともに、（７）固定抵抗器を介せず出力近くに（６）固定抵抗器があるため、請求項６より強く誘導効果が期待でき、かつノイズに強くなる。
【発明の効果】
請求項１では最適負荷効果と、出力安定化効果と、使用可能範囲の拡大効果がある。
請求項２では最適負荷効果と、出力安定化効果と、使用可能範囲の拡大効果と、誘導効果により省エネ効果が期待できる。
請求項３では最適負荷効果と、出力安定化効果と、使用可能範囲の拡大効果と、誘導効果により省エネ効果が期待できる。
請求項４では最適負荷効果と、出力安定化効果と、使用可能範囲の拡大効果と、ノイズ低減効果がある。
請求項５では最適負荷効果と、出力安定化効果と、使用可能範囲の拡大効果と、誘導効果により省エネ効果が期待でき、ノイズ低減効果がある。
請求項６では最適負荷効果と、出力安定化効果と、使用可能範囲の拡大効果と、誘導効果により省エネ効果が期待でき、ノイズ低減効果がある。
請求項７では最適負荷効果と、出力安定化効果と、使用可能範囲の拡大効果と、ノイズ低減効果がある。
請求項８では最適負荷効果と、出力安定化効果と、使用可能範囲の拡大効果と、誘導効果により省エネ効果が期待でき、ノイズ低減効果がある。
請求項９では最適負荷効果と、出力安定化効果と、使用可能範囲の拡大効果と、誘導効果により省エネ効果が期待でき、ノイズ低減効果がある。
【図面の簡単な説明】
【図１】本発明請求項１の回路図
【図２】本発明請求項２の回路図
【図３】本発明請求項３の回路図
【図４】本発明請求項４の回路図
【図５】本発明請求項５の回路図
【図６】本発明請求項６の回路図
【図７】本発明請求項７の回路図
【図８】本発明請求項８の回路図
【図９】本発明請求項９の回路図
【図１０】従来の方法１の回路図
【図１１】従来の方法２の回路図
【図１２】従来の方法１の出力設定点変化図
【図１３】従来の方法２の出力設定点変化図
【図１４】本発明請求項１，４，７の出力設定点変化図
【図１５】本発明請求項２，５，８の出力設定点変化図
【図１６】本発明請求項３，６，９の出力設定点変化図
【図１】
2004193530.tif 000003
【図２】
2004193530.tif 000004
【図３】
2004193530.tif 000005
【図４】
2004193530.tif 000006
【図５】
2004193530.tif 000007
【図６】
2004193530.tif 000008
【図７】
2004193530.tif 000009
【図８】
2004193530.tif 000010
【図９】
2004193530.tif 000011
【図１０】
2004193530.tif 000012
【図１１】
2004193530.tif 000013
【図１２】
2004193530.tif 000014
【図１３】
2004193530.tif 000015
【図１４】
2004193530.tif 000016
【図１５】
2004193530.tif 000017
【図１６】
2004193530.tif 000018